(57)【特許請求の範囲】
【請求項１】
支持杆と、該支持杆の同一軸線上の一方の端部に設けられた把持部と、前記支持杆の同一軸線上の他方の端部に前記同一軸線上を中心に回転回動するように設けられた筒状ヘッドと、前記同一軸線上であって、一方側が前記支持杆の内部に、他方側が前記筒状ヘッドの内部に設けられた軸とを備え、
前記筒状ヘッドと、前記軸とのそれぞれに、Ｎ極とＳ極とを結ぶ磁軸が径方向となるように永久磁石を設け、前記永久磁石が前記筒状ヘッドの回転時に同極性反発によってクリック感やタッピング感を生じるように同極で対向させたことを特徴とするマッサージローラー。
【請求項２】
前記把持部の端部は、小さな半球状の指圧部を備え、前記筒状ヘッドの末端部は、大きな半球状の指圧部を備えたことを特徴とする請求項１に記載のマッサージローラー。
【請求項３】
前記筒状ヘッドにおける永久磁石は、前記筒状ヘッドの内周面に設けられることを特徴とする請求項１又は２に記載のマッサージローラー。
【請求項４】
前記筒状ヘッドに設ける永久磁石は、１又は２以上の個数であることを特徴とする請求項１〜３のいずれかに記載のマッサージローラー。
【請求項５】
前記軸に設ける永久磁石は、１又は２以上の個数であることを特徴とする請求項１〜４のいずれかに記載のマッサージローラー。
【請求項６】
前記筒状ヘッドの外周には、複数の皮膚接触ピースが設けられてなることを特徴とする請求項１〜５のいずれかに記載のマッサージローラー。
【請求項７】
前記皮膚接触ピースは、断面円形状又は半円形状の棒状体であることを特徴とする請求項６に記載のマッサージローラー。
【請求項８】
前記皮膚接触ピースが、チタン材であることを特徴とする請求項６又は７に記載のマッサージローラー。
【発明の詳細な説明】
【技術分野】
【０００１】
本発明は、携帯容易な、永久磁石を使用した磁気健康器に関するもので、特に、製作が容易で使用感の向上が図れる磁気健康器に関するものである。
【背景技術】
【０００２】
この種の磁気健康器として、直径が数ミリ程度の小形円板状の永久磁石を接着シートにより身体に貼り付け、磁力の作用によって健康の促進を図るようにしたものが良く知られている。磁石から発生する磁力線が血液や筋肉等を切ることにより、その部分に電流が発生し、この電流が血行を促進し、筋肉のコリをほぐして、健康促進に有効であるとされている。
該磁気健康器は、身体の所定箇所に貼着して磁力の作用を与えるものであるが、磁力に動きがないために、治癒箇所の内部に充分な刺激を与えることができず、また、マッサージ効果を得る作用は無く、更には、使用後は使い捨てになるという無駄がある。
【０００３】
磁石を身体に対して相対的に変位させることによって変動磁界（磁場）を作用させ、筋肉や血液を磁力線が、相対的な変位速度を大きく切るようにした磁気健康器が開示されている（特許文献１）。
上記開示は、身体の所要部位にマッサージを加えながら変動速度の速い変動磁界を作用させることにより、マッサージ効果と磁気効果との相乗効果を得るために、マッサージ用バイブレータの振動部材に、永久磁石を備えた磁気手段を着脱自在に取り付けた磁気健康器を実現している。
しかしながら、上記開示では、バイブレータの電源が必要で使用場所の制約があり、携帯用として、仮に電池を使用することが出来たとしても、振動させるコイル等が必要になり製造コストが上昇し、また騒音を発生させ、一方ユーザーにとっては電池等の消耗品が必要になり、使い勝手の良いものでは無い。尚、所定の磁界を有する磁石は、基材に厚さ方向に着磁され、変動速度の早い変動磁界を得る為に、振動手段（バイブレータ）を具備することが不可欠である。
【０００４】
また、全体が把持可能で、身体の治癒箇所に押し当てられる押圧部を有するケーシングからなり、該ケーシング内に内設した電磁石または永久磁石が該押圧部を振動するように構成され、しかも該押圧部またはその付近箇所から外部へ交番磁場（磁力線の向きが交互に変る磁場）または変動磁場（磁力が変ったり、磁場が動くものをいう）を発生させる磁気治療用按摩器が開示されている（特許文献２）。
上記開示は、押圧部を身体の治癒箇所に押し当てて振動させることにより、機械的マッサージを与え、交番磁場または変動磁場が治癒箇所の内部を通過して、血液や神経或いは骨格等に自然治癒力を伴う効果的な刺激を与えるものである。
上記特許文献２の第一の実施例として、ケーシング内に内設されたモーターに突設した回転軸先端部へ取り付けられたＮ、Ｓ極を着磁した扁平状の永久磁石（回転軸を中心にＮ極とＳ極が対向した１個の永久磁石）が回転することによって、ケーシング押圧部内部に設けられたコイルによって励磁される鉄心との間で吸引力が発生することにより、押圧部が振動しマッサージ効果を与えると同時に、鉄心から押圧部を通過して振動する磁場が治癒箇所へ磁気的刺激を与え治癒効果を上げることが開示されている。
しかしながら、上記特許文献２の開示では、特許文献１と同様、振動を発生させる電源が必要で使用場所の制約があり、振動させるコイル等が必要になり製造コストが上昇し、電池を使用した場合、ユーザーにとって電池等の消耗品が必要になり、また、振動によるケーシングの耐久性に問題があり、耐久性を持たせるため鋼鉄線からなるバネを埋設するなど対策が必要で、構造的に複雑になり製作コストも上昇し、また、ケーシングに内蔵したコイルに通電するので、コイル部が発熱することによって押圧部が加熱され、長時間の使用による温度上昇でユーザーに不快感を与える等、使い勝手の良いものでは無い。温度上昇を防止するためファンを備えることを言及しているが、構造が複雑になって製作コスト上昇になり、ユーザーへ騒音による不快感を与える等の問題がある。
【０００５】
さらに、従来技術では、支持杆と該支持杆に接続されるグリップと支持杆に同軸的かつ回転自在に被嵌され、美容処理対象の肌面上を転動される筒状のヘッドとヘッドの回転により、コイルと永久磁石で電力を発生し、発電された電力に基づき皮膚を刺激する光照射手段および／または皮膚に電流を流す電極を具備する美容処理装置が開示されている（特許文献３）。
上記特許文献３の開示は、電力発生手段を備え、いつでもどこでも簡単にしかも経済的に美容処理を行うことのできる美容処理装置である。コイルと永久磁石が電力発生手段として備えられており、ヘッドの回転によりコイルに電流が流れ、光照射手段および／または皮膚に電流を流す電極で皮膚を刺激する。
上記特許文献３の手段は、美容処理時に好適な筒状のヘッド先端部に配置され、コイルと永久磁石の位置は、グリップ側ヘッド他端部へ配設されている。電力発生手段による電力で皮膚を刺激することが主眼で、永久磁石から発生する磁場の治癒効果について言及されていないが、所定の磁界は磁気的刺激があるものと推定されるが推定の域を出ない。コイルと永久磁石の電力発生手段の位置が、グリップ側へ配設される場合は、永久磁石から発生する磁場の治癒効果を期待することはできない。また、磁界の強さは、永久磁石の有する一定の磁界の強さで皮膚を刺激する。
さらに上記特許文献３の開示では、美容処理対象の肌面上を転動回転する断面８角状に形成されたヘッドは、スムーズに皮膚面上を転がり、顔や身体に押し当てる力で皮膚を揉むことでマッサージ効果を発揮するが、転がり抵抗が無く使用感（クリック感）が無いので、皮膚面上をヘッドがスムーズに転がり、もみ上げ又はリフトアップ効果やタッピング効果を得ることが出来ず、ユーザーにとって不満足なものであった。
また、光照射手段および／または皮膚に電流を流す電極（美容処理手段）、電力を発生させるコイルと複数個の永久磁石を備え、制御装置などを備えるなど構造が複雑になり、製作コストが高価なものとなる等の問題がある。
【０００６】
さらにまた、従来技術として柄の先端に軸回転可能状に取り付けた略球体の赤道部に複数個の粒状マグネットを埋設したマグネット美容具が開示され（特許文献４）、その他、マグネットをローラーの中に埋設したマッサージ器具等多数提案されている。
上記特許文献４の器具では、生体に対する磁力線の変化や移動を多くするため、ローラーに複数個のマグネットを埋設し、顔や身体に押し当て転がすようにして往復運動させて使用するものである。
しかしながら、ローラーに埋設したマグネットの磁界の強さは一定で、ローラーが回転する際に伴い、生体に対する磁力線の変化が生じて皮膚を刺激するのみである。マグネット間の誘引力は、マグネットがローラーに固着されているので打ち消され、ローラーはスムーズに皮膚面上を転がり、顔や身体に押し当てる力で皮膚を揉むことでマッサージ効果を発揮するが、転がり抵抗が無いためクリック感が無く、はじきあげるようなもみ上げ又はリフトアップ効果やタッピング効果を得ることは出来ず、ユーザーにとって満足度の高い使用感が得られないのは前記特許文献３と同様である。
【先行技術文献】
【特許文献】
【０００７】
【特許文献１】実開平０３−００３３４１号公報
【特許文献２】実開平０１−０５９１４５号公報
【特許文献３】特開２００８−２６４５０７号公報
【特許文献４】実登第３０３１７４２号公報
【発明の概要】
【発明が解決しようとする課題】
【０００８】
上述するような従来技術に鑑み、本発明では、コンセントからの電源や電池を使用して振動を発生させず、又、発電装置による電流を使用せず、永久磁石のみを用い、構造が単純で安価に製作でき、生体に対し、より大きな交番磁場（磁界）を作用させて治癒効果を上げると同時に、人の手でマッサージするような、もみ上げ又は、リフトアップ効果やタッピング効果が得られ、携帯が容易である等、美容や健康促進に供する使用感（クリック感）のあるマッサージローラーを提供することを課題とする。
【課題を解決するための手段】
【０００９】
本発明者らは、上記課題を解決すべく鋭意検討を重ねた結果、以下の構成を有する発明を完成するに至った。
第１の発明のマッサージローラーは、支持杆、該支持杆の同一軸線上の一方の端部の把持部、他方の端部の該軸線上を回転回動する筒状ヘッドを備え、該筒状ヘッドと該軸の外周面のそれぞれに永久磁石を設け、該筒状ヘッドの回転時に該筒状ヘッド側の永久磁石と該軸の外周面の永久磁石が、一直線に並んだ場合（１８０度）に該永久磁石の極性が同極になるときの同極性反発によって生じるクリック感を高めることを特徴とするもので、上記課題を実現できることを見出した。
【００１０】
第２の発明は、請求項１のマッサージローラーであって、上記把持部の端部は、小さな半球状の指圧部を備え、筒状ヘッドの末端部は、大きな半球状の指圧部を備えたことを特徴とするものである。
【００１１】
第３の発明は、請求項１又は２に記載のマッサージローラーであって、上記筒状ヘッドにおける永久磁石は、筒状ヘッドの内周面又は外周面に設けられることを特徴とするものである。
【００１２】
第４の発明は、請求項１〜３のいずれかに記載のマッサージローラーであって、上記筒状ヘッドに設ける永久磁石は、１又は２以上の個数であることを特徴とするものである。
【００１３】
第５の発明は、請求項１〜４のいずれかに記載のマッサージローラーであって、上記軸の外周面に設ける永久磁石は、１又は２以上の個数であることを特徴とするものである。
【００１４】
第６の発明は、請求項１〜５のいずれかに記載のマッサージローラーであって、上記筒状ヘッドは、分解可能に組み立てられたものであることを特徴とするものである。
【００１５】
第７の発明は、請求項１〜６のいずれかに記載のマッサージローラーであって、上記筒状ヘッドの断面は、略多角形状に形成されてなることを特徴とするものである。
【００１６】
第８の発明は、請求項１〜７のいずれかに記載のマッサージローラーであって、上記筒状ヘッド外周には、複数の皮膚接触ピースが設けられてなることを特徴とするものである。
【００１７】
第９の発明は、請求項１〜８のいずれかに記載のマッサージローラーであって、上記皮膚接触ピースは、断面円形状又は半円形状の棒状体であることを特徴とするものである。
【００１８】
第１０の発明は、請求項１〜９のいずれかに記載のマッサージローラーであって、上記皮膚接触ピースが、チタン材であることを特徴とするものである。
なお、本発明で用いられるチタン材としては、チタン金属、チタン合金及びチタン含有の樹脂等が挙げられる。
【発明の効果】
【００１９】
本発明のマッサージローラーは、コンセントからの電源や電池が不要で、振動や騒音を発生させず、又、発電装置による電流を使用せず、構造が単純、組立分解が容易、低コストに製作でき、故障が少なく、コンパクトで携帯が容易であり、永久磁石のみを用い筒状ヘッドを回転させることにより、より大きな交番磁場（磁界）を発生させ、身体の広い治癒部位を、交番磁場（磁界）が治癒箇所の内部を通過して、血液や神経或いは骨格等に自然治癒力を伴う効果的な刺激を与えることができ（該作用は、人が感じる使用感は無い）、筒状ヘッドを身体の治癒部位に押し当てながら転がすと、筒状ヘッドの周回に配置された丸棒と丸棒との間の凹部に皮膚がはさまれ、つまみ上げる様な状態になると同時に、マッサージローラーのクリック感により、はじき上げる様なリフトアップ感が得られてマッサージ効果を高めることができる（該クリック感は、筒状ヘッドの回転によって筒状ヘッドと軸に貼着した永久磁石が同極で対向し始め、反発力が生じることにより回転への抵抗感が生じ、さらに、該抵抗感を超える力を加えて筒状ヘッドを回転させると、該反発力が急激に減少することによって感得される。）。特に、筒状ヘッドが略多角形状の場合は、該略多角形状の筒状ヘッドがぎこちなく回転することによって叩く効果、すなわちタッピング効果が得られ、また、磁力の反発が使用する人の手に伝わり“使用感”が得られ、筒状ヘッドを種々に構成できるので、好みに応じて選択することができ、大小の指圧部を備えているので、選択的に好みに応じて身体のつぼを押すこともできる、
等々多くの効果を有する。
【図面の簡単な説明】
【００２０】
【図１】本発明の実施例の外観図
【図２】図１のＡ−Ａにおける断面図
【図３】皮膚接触ピース９の要部外観図
【図４】側板部７の要部外観図
【図５】側板部８の要部外観図
【図６】図１のＢ−Ｂにおける断面図
【図７】磁石配置の１実施例説明図
【発明を実施するための形態】
【００２１】
以下、本発明を実施するための具体的な形態について、図１〜７を参照しながら詳細に説明する。
【実施例】
【００２２】
図１は、本発明の実施例の外観図である。同図において図１（ａ）は全体図を示し、図１（ｂ）は左側面図、図１（ｃ）は右側面図を示す。
同図において、１は把持部２を一体に樹脂材料等で形成した支持杆、３は把持部２を補完して把持部を構成する樹脂材料等より形成したキャップで、把持部２右端に形成されたネジに螺着すると同時に、小さな半球状を形成した指圧部４を挟持している。該指圧部４は、弾力性を有するエラストマー、金属、樹脂材料等で形成されている。５は、把持部２に設けた滑り止めで円周状に複数設けられている。図１の支持杆１、把持部２、キャップ３は、円形に限らず多角形であってもよい。６は、顔やその他治癒箇所に当接して回動する筒状ヘッドで、支持杆１同一軸線上に設けられた軸に、軸受を介して回動自在に設けられた支持杆１側の側板部７と支持杆１他端側の側板部８で、複数の皮膚接触ピース９を挟持して略多角形状を構成している。各皮膚接触ピース９には丸棒１０が設けられ、略多角形状の頂点を形成している。図１では、６個の皮膚接触ピース９で略六角形状を構成している。該丸棒１０は、人の肌に金属アレルギーを生じにくく、磁力を帯びないチタン材で形成されている。
該丸棒１０は、エラストマー材で形成することも出来、肌と当接する摩擦力を大きくすることが出来る。該丸棒１０をチタン材、又はエラストマー材どちらか、又は、交互に配置することにより、肌と当接する摩擦力を調整し、筒状ヘッド６を押圧して回転する使用感で、ユーザーが好みで選択する構成にすることが出来る。
支持杆１他端側の側板部８は、大きな半球状を形成した指圧部１１が形成されている。上記した、小さな半球状を形成した指圧部４と大きな半球状を形成した指圧部１１を、同じ押す力であれば、指圧部４側の方が指圧部１１側より身体への刺激を大きくすることができ、更にまた、キャップ３の着脱により小さな半球状の指圧部４を容易に交換できるので、材質による硬軟の違いから好みに応じて使い分けることができる。
【００２３】
図２（ａ）は、図１のＡ−Ａにおける断面図で、図２（ｂ）は、図１の丸棒１０を含むＡ−Ａにおける筒状ヘッド６の要部断面図である。
同図において、５０は、支持杆１の同一軸線上に設けられた着磁しないステンレス材等で形成された軸で、支持杆１の一端が当接するフランジ５１が該軸５０へ一体に設けられ、該支持杆１の一端に対向してフランジ５１を挟んで、ベアリング軸受３０が軸５０に嵌着されている。ベアリング軸受３０は、軸５０に形成された溝にＥリング３１を装着して固定されている。側板部７には一体に環状筒部１２が樹脂成形で形成され、ベアリング軸受３０をスラスト方向に当接して環状筒部１２と内接して嵌着固定されているので、側板部７は、軸５０を自在に回転回動する。軸５０は、支持杆１を貫通して把持部２内部に設けられたフランジ１３に当接したワッシャー３２を介して、軸５０端部に形成したネジに六角穴付ナット３３で締め付けることによって支持杆１と固定されている。即ち、支持杆１は、軸５０のフランジ５１と六角穴付ナット３３に挟持固定されている。
３４は、樹脂材料等で形成された凸状スペーサで、該凸状スペーサ３４に指圧部４を嵌合して重ね、キャップ３を貫通して指圧部４を外部に露出させ、指圧部４根元に一体に形成したフランジ３５を介して、把持部２端部に設けたネジ部３６とキャップ３内側に形成したネジ部３７を螺着することにより指圧部４を固設し、また、キャップ３は把持部の一端を補完している。尚、凸状スペーサ３４は把持部２のネジ部３６端部に当接している。
複数の皮膚接触ピース９の端部に設けた図２（ｂ）に示す突起１４が、側板部７の環状筒部１２外周に設けられた嵌合凹部１５に挿入され、複数の皮膚接触ピース９の他端に設けた図２（ｂ）に示す突起１６が、側板部８に設けられた嵌合凹部１７に挿入されている。
側板部８には一体に環状筒部１８が樹脂成形で形成され、ベアリング軸受３８が環状筒部１８内部にベアリング軸受３８外周部と嵌着され、ベアリング軸受３８側面は、側板部８の指圧部１１側へ設けられたフランジ部１９と当接して位置決めされている。側板部８の環状筒部１８外周に設けられた嵌合凹部１７へ、複数の皮膚接触ピース９の他端に設けた突起１６が挿入されると同時に、軸５０の端部５２がベアリング軸受３８へ挿入され、側板部８は軸５０を自在に回転回動する。ベアリング軸受３８内径へ挿入される軸５０の端部５２の直径は、段差５３を設けて小さく形成し、ベアリング軸受３８の支持杆１側への移動を防止している。即ち、ベアリング軸受３８は、フランジ部１９と軸５０の段差５３で挟持されている。側板部７と側板部８は、別途述べる手段により一体に嵌合固着され、軸５０を自在に回転回動する。
図２（ａ）に示す環状筒部１８の外周部には永久磁石４１が貼着され、図２（ｂ）に示す筒状ヘッド６内部の軸５０にはＤカット加工が施され、永久磁石４２が貼着固定されている。永久磁石４１と４２の幅は、対向してほぼ均等に形成されている。
【００２４】
図３（ａ）は、図１及び図２に設けた皮膚接触ピース９単体の正面図、図３（ｂ）は側面図で、図３（ｃ）は、丸棒１０外観図である。
同図において、皮膚接触ピース９は樹脂材料より形成され、半円弧状溝２０が皮膚接触ピース９長手方向に形成され、紙面背面側へ皮膚接触ピース９両サイドに破線で示すように、半円弧状溝が金型の合わせ食違い加工によって形成され、両端に突起１４、１６がそれぞれ一体に形成されている。図３（ｂ）に示すように両端は盛り上げて略多角形を形成し、図１に示す側板部７及び８の略多角形外形と一致させ、中央部は凹部を形成している。図３（ｃ）に示すＬ寸法で形成された丸棒１０が、図３（ａ）に示すＬ寸法の半円弧状溝２０へ矢印で示す方向から挿入され、６個の皮膚接触ピース９を円周状に配置して、丸棒１０を頂点とする略６角多角形を形成し、内部は円筒を形成し、環状筒部１２、１８外周部へ当接する。
【００２５】
図４は、筒状ヘッド６を構成する側板部７単体を示す外観図で、一部破断部を示したものである。
同図において、略多角形に形成された側板部７に一体で形成された環状筒部１２側面へ角穴２１が２箇所対向して設けられ、環状筒部１２外周根元には、前記皮膚接触ピース９の突起１４が挿入される複数の嵌合凹部１５が形成されている。環状筒部１２内部側には、ベアリング軸受３０外周が嵌着される内径とスラスト方向の位置決めする段差３９が形成されている。４０は支持杆１の端部の一部が挿入される開口が形成されている。
【００２６】
図５は、筒状ヘッド６を構成する側板部８単体を示す外観図で、一部破断部を示したものである。
同図において、略多角形に形成された側板部８に一体で形成された環状筒部１８外周部へ永久磁石を貼着する位置決め凹部２２が対向して２箇所形成され、環状筒部１８外周根元には、前記皮膚接触ピース９の突起１６が挿入される複数の嵌合凹部１７が形成されている。環状筒部１８内部の指圧部１１側には、ベアリング軸受３８外周が嵌着される内径とベアリング軸受３８側面スラスト方向を位置決めするフランジ部１９が形成され、部分的にリブで形成されている。２３は、環状筒部１８端部から延伸して設けられた弾力性を有する抜け止め爪（一部断面を示す）で、前記側板部７に一体で形成された環状筒部１２側面へ設けられた角穴２１と環状筒部１２内側へ挿入されて嵌合固定される。２４は、抜け止め爪２３間に設けられた位置決めガイドで、前記側板部７の環状筒部１２の内側に設けられたリブ（図示せず）等に沿って、抜け止め爪２３が角穴２１へガイドされ挿入を容易化すると同時に回り止めになり、環状筒部１２と環状筒部１８は固定され環状筒部全体を構成している。抜け止め爪２３と角穴２１で決定される側板部７と側板部８間の距離は、皮膚接触ピース９長手方向の寸法により決定され、側板部７を指圧部１１側へ寄せる寸法関係としているので、筒状ヘッド６が回転回動時に、側板部７が支持杆１と干渉せず、スムーズに動作する。
上記この種の角穴２１と抜け止め爪２３の嵌合固定を単に引っ張って外すことは、抜け止め爪２３を破壊するに等しく困難であるので、抜け止め爪２３が位置する皮膚接触ピース９へ穴（図示せず）を設け、所定長さの治具を挿入して抜け止め爪２３を押し曲げ、角穴２１から外せば容易に外すことが出来、ユーザーでも簡単に分解又、組み立てすることが出来、清掃などのメンテナンスが可能である。
２５は、指圧部１１中心に設けられた水抜き穴で、筒状ヘッド６内部に水が浸入した場合、水抜き穴２５を下側へ向けて静置しておけば容易に水を抜くことが出来る。
【００２７】
ここで、上記で詳述した実施例の図示しない他の実施例について述べる。
上記では、丸棒１０を含む複数の皮膚接触ピース９で略多角形状の円筒を形成したが、樹脂材料で一体に略多角形状の円筒を形成してもよい。
また、複数の皮膚接触ピース９を図３（Ｃ）に示すような断面円形状又は半円形状の複数の棒状体両端を、側板部７と側板部８に設けられた嵌合凹部１５、１７に挿入嵌合し、環状筒部１２と環状筒部１８で構成する環状筒部外周へ略多角形状を構成しても良い。
上記のようにすれば、皮膚接触ピース９を構成する部品点数や使用する材料を減少させることが出来、又、容易に抜け止め爪２３を外せ分解が可能で、また組み立ても容易である。
【００２８】
図６は、図１のＢ−Ｂにおける断面図、図７は、磁石配置の説明図である。図中、既に上記で詳述した符号の説明は、詳述したので省略する。
同図において、軸５０の外周面に貼着された２個の永久磁石４２の極性は、環状筒部１８の外周面又は内周面へ貼着された永久磁石４１の極性が、図６では対向して同極のＮ極とされ、図７では対向して同極のＳ極としているが、対向する磁石の極性は、反発する方向であればどちらでも良い。
図中では、永久磁石４１と４２の断面形状を矩形で示しているが、半月形状その他の形状で形成しても良く、永久磁石４１と４２の隙間距離を小さくなるように配設すれば、より大きな反発力を得ることが出来、またクリック感を大きくすることが出来る。
図中では、軸５０の外周面及び環状筒部１８の外周面又は内周面へ貼着した永久磁石４１と４２は、それぞれ２個としているが、それぞれ１又は２以上の個数を設けた組合せであっても良い。
また、図７の破線で示す永久磁石４２が無い場合の組合せ構成としているように、環状筒部１８側又は軸５０側へ永久磁石４１、４２の個数を偶数又は奇数のいずれでも選択できる。
具体的には、図７中、環状筒部１８側に永久磁石２個、軸５０側に永久磁石２個としているが、環状筒部１８側に永久磁石１個、軸５０側に永久磁石１個あるいは環状筒部１８側に永久磁石３個、軸５０側に永久磁石３個を配置するなど種々の組合せとすることができる。
いずれにしても、図７に示す中心線の位置で一直線に並んだ場合（１８０度）、軸５０の外周面及び環状筒部１８の外周面又は内周面へ貼着した永久磁石４１と４２の極性が、筒状ヘッド６が回転中に対向して同極で、反発によって生じるクリック感があれば良い。
【００２９】
次に、上記作用について述べる。
まず、手で支持杆１と把持部２を掴み、身体の治癒部位に筒状ヘッド６を押し当て転がすようにして往復運動させて使用する。永久磁石４１が回転することによって永久磁石４２との間で筒状ヘッド６の外部へより大きな交番磁場（磁界）が発生し、治癒箇所の内部を通過して、血液や神経或いは骨格等に自然治癒力を伴う効果的な刺激を与える。従来のローラー表面又は内部へ単に永久磁石を設けて得られる交番磁場（磁界）よりも、より大きな交番磁場（磁界）が得られ、より効果的な刺激を生体に与えることが出来る。
筒状ヘッド６を押し当て転がすと、筒状ヘッド６の周回に配置した丸棒１０と丸棒１０との間の凹部に皮膚がはさまり、該皮膚をつまみ上げ、且つ、マッサージローラーの永久磁石４１、４２の反発力増減によるクリック感により、該皮膚をはじき上げるようなリフトアップ作用が働く。
すなわち、筒状ヘッドの回転回動過程において、図６に示す永久磁石４１、４２の位置関係から図７に示す位置関係の９０度回転移動すると、同極で対向し始めるため、反発力が生じ始め、回転回動への抵抗感が生じ、永久磁石４１、４２が一直線に並んだとき（１８０度）に、該抵抗感は最大になり、さらに、該抵抗感を超える力を加えて筒状ヘッドを回転させると、同極で対向しなくなるため、該反発力が急激に減少することによりクリック感が生じ、同時に、ユーザーは該反発力によって生じるクリック感を皮膚と手に感じ取ることができ、使用感の満足度が高まる。
軸５０の外周面及び環状筒部１８の外周面又は内周面へ貼着した永久磁石４１と４２の個数の組合せによって、種々の反発力と皮膚と手への感じ取り方の異なる作用を有するマッサージローラーを提供出来た。
また、指圧部４と１１を両端へ備えているので、ユーザーの好みにより指圧部４又は１１を身体の治癒部位へ押圧することにより、指圧具としての作用を有するマッサージローラーを提供出来た。
【符号の説明】
【００３０】
１  支持杆
２  把持部
３  キャップ
４  指圧部
５  滑り止め
６  筒状ヘッド
７、８  側板部
９  皮膚接触ピース
１０  丸棒
１１  指圧部
１２、１８  環状筒部
１３  フランジ
１４、１６  突起
１５、１７  嵌合凹部
１９  フランジ部
２０  半円弧状溝
２１  角穴
２２  位置決め凹部
２３  抜け止め爪
２４  位置決めガイド
２５  水抜き穴
３０、３８  ベアリング軸受
３１  Ｅリング
３２  ワッシャー
３３  六角穴付ナット
３４  凸状スペーサ
３５  フランジ
３６、３７  ネジ部
３９  段差
４０  開口
４１、４２  永久磁石
５０  軸
５１  フランジ
５２  端部
５３  段差
５４  Ｄカット加工
【図１】
0005570385.tif 000002
【図２】
0005570385.tif 000003
【図３】
0005570385.tif 000004
【図４】
0005570385.tif 000005
【図５】
0005570385.tif 000006
【図６】
0005570385.tif 000007
【図７】
0005570385.tif 000008